(57)【要約】  本発明の課題は、内部端子と外部接続端子とを接続するために要するスペースが小さい火災感知器用ベース及び火災感知器を提供することである。複数の内部端子（６０）は、複数の外部接続端子（５０）と一対一で対応している。複数の内部端子（６０）の各々は、複数の外部接続端子（５０）のうち当該内部端子（６０）に対応する対象外部接続端子（５０）に電気的に接続されている。複数の内部端子（６０）の各々において、当該内部端子（６０）から対象外部接続端子（５０）までの距離は、当該内部端子（６０）から複数の内部端子（６０）のうち残りの内部端子（６０）までの距離よりも短く、かつ、対象外部接続端子（５０）から複数の外部接続端子（５０）のうち残りの外部接続端子（５０）までの距離よりも短い。
2018051796.tif 000002
【特許請求の範囲】
【請求項１】
底壁を有し、火災を検知するための電気回路を有する感知器本体が取り付けられる台座と、
前記底壁に固定されている複数の外部接続端子と、
前記底壁に固定されている複数の内部端子と、を備え、
前記複数の外部接続端子には外部配線が電気的に接続され、
前記複数の内部端子には前記電気回路が電気的に接続され、
前記複数の内部端子は、前記複数の外部接続端子と一対一で対応し、
前記複数の内部端子の各々は、前記複数の外部接続端子のうち当該内部端子に対応する対象外部接続端子に電気的に接続されており、
前記複数の内部端子の各々において、当該内部端子から前記対象外部接続端子までの距離は、
当該内部端子から前記複数の内部端子のうち残りの内部端子までの距離よりも短く、かつ、
前記対象外部接続端子から前記複数の外部接続端子のうち残りの外部接続端子までの距離よりも短いことを特徴とする火災感知器用ベース。
【請求項２】
前記台座は、前記底壁の周縁から前記底壁に交差する方向に突出する筒状の周壁を更に有し、
前記周壁はノックアウト部を含み、
前記ノックアウト部は、
前記周壁が突出する向きにおける前記周壁の先端から前記周壁の突出方向に延びる２つの側部と、
前記２つの側部の間において前記２つの側部に隣接する壁部と、を有し、
前記２つの側部は前記壁部よりも厚みが小さいことを特徴とする請求項１記載の火災感知器用ベース。
【請求項３】
前記複数の内部端子の各々は、前記対象外部接続端子の少なくとも一部と一体に形成されていることを特徴とする請求項１又は２に記載の火災感知器用ベース。
【請求項４】
請求項１〜３のいずれか一項に記載の火災感知器用ベースと、
前記感知器本体と、を備えることを特徴とする火災感知器。
【発明の詳細な説明】
【技術分野】
【０００１】
本発明は、火災感知器用ベース及び火災感知器に関し、より詳細には、接続端子を有する火災感知器用ベース及びこの火災感知器用ベースを備える火災感知器に関する。
【背景技術】
【０００２】
従来例として特許文献１記載の複合火災感知器を例示する。特許文献１記載の複合火災感知器では、取付ベース（火災感知器用ベース）の下面に４つのコンタクト部が配置されている。各コンタクト部は一対のばね片（内部端子）を備えている。４対のばね片は、４対のばね片から離れて設けられている４つの速結端子（外部接続端子）に電気的に接続されている。【０００３】
しかしながら、特許文献１記載の複合火災感知器では、各コンタクト部は他のコンタクト部の近くに設けられていて、各コンタクト部は対応する外部接続端子から離れて設けられている。そのため、内部端子と外部接続端子とを電気的に接続するために広いスペースを要するという欠点があった。
【先行技術文献】
【特許文献】
【０００４】
【特許文献１】特開２０１５−１５３０２６号公報
【発明の概要】
【０００５】
本発明は、内部端子と外部接続端子とを接続するために要するスペースが小さい火災感知器用ベース及び火災感知器を提供することを目的とする。
【０００６】
上記の課題を解決するために、本発明の一態様に係る火災感知器用ベースは、台座と、複数の外部接続端子と、複数の内部端子と、を備える。前記台座は底壁を有する。前記台座には感知器本体が取り付けられる。前記感知器本体は、火災を検知するための電気回路を有する。前記複数の外部接続端子は、前記底壁に固定されている。前記複数の内部端子は、前記底壁に固定されている。前記複数の外部接続端子には外部配線が電気的に接続される。前記複数の内部端子には前記電気回路が電気的に接続される。前記複数の内部端子は、前記複数の外部接続端子と一対一で対応している。前記複数の内部端子の各々は、前記複数の外部接続端子のうち当該内部端子に対応する対象外部接続端子に電気的に接続されている。前記複数の内部端子の各々において、当該内部端子から前記対象外部接続端子までの距離は、当該内部端子から前記複数の内部端子のうち残りの内部端子までの距離よりも短い。前記複数の内部端子の各々において、当該内部端子から前記対象外部接続端子までの前記距離は、前記対象外部接続端子から前記複数の外部接続端子のうち残りの外部接続端子までの距離よりも短い。
【０００７】
本発明の一態様に係る火災感知器は、前記火災感知器用ベースと、前記感知器本体と、を備える。
【図面の簡単な説明】
【０００８】
【図１】図１は、本発明の一実施形態に係る火災感知器の断面図である。
【図２】図２は、造営面に取り付けられた同上の火災感知器の下側から見たときの斜視図である。
【図３】図３は、本発明の一実施形態に係る火災感知器用ベースの上面図である。
【図４】図４は、同上の火災感知器用ベースの要部の上側から見たときの斜視図である。
【図５】図５は、上側ベースを除いた状態の同上の火災感知器用ベースの上面図である。
【図６】図６は、上側ベースを除いた状態の同上の火災感知器用ベースの上側から見たときの要部の斜視図である。
【図７】図７は、同上の火災感知器用ベースの下面図である。
【図８】図８は、同上の火災感知器用ベースの要部の下側から見たときの斜視図である。
【図９】図９は、下側ベースを除いた状態の同上の火災感知器用ベースの下側から見たときの要部の斜視図である。
【図１０】図１０は、同上の火災感知器用ベースにおける外部接続端子及び内部端子の上側から見たときの斜視図である。
【図１１】図１１は、同上の火災感知器の感知器本体の斜視図である。
【図１２】図１２Ａ〜１２Ｃは、同上の火災感知器用ベースにおける複数の外部接続端子及び複数の内部端子の模式図である。
【図１３】図１３Ａは、本発明の一実施形態の変形例に係る火災感知器用ベースの下面図である。図１３Ｂは、図１３ＡのＣ−Ｃ線における断面図である。
【発明を実施するための形態】
【０００９】
以下、実施形態に係る火災感知器用ベース及び火災感知器について、図面を用いて説明する。図１は図３のＡ−Ａ断面図である。以下、特に断りのない限り、図１に示す火災感知器１において、火災感知器用ベース２が位置する側を上とし、感知器本体３が位置する側を下とする。
【００１０】
本実施形態の火災感知器１は、図２に示すように、造営面５００に取り付けられる。火災感知器１は、火災感知器用ベース２と、感知器本体３と、を備えている。火災感知器用ベース２には、造営面５００に通された外部配線６００が挿入される。
【００１１】
感知器本体３は、図１に示すように、ケース３００と、カバー３１０と、電気回路３２０と、光学基台３３０と、虫カバー３４０と、を備えている。
【００１２】
火災感知器用ベース２は、図７に示すように、台座４と、複数（図示例では６つ）の外部接続ユニット５と、複数（図示例では３つ）のコンタクト部６と、を備えている。台座４は、図３に示すように、下側ベース８と、上側ベース７と、を有している。上側ベース７は、下側ベース８の第二底部８０（図５参照）を覆うように取り付けられている。
【００１３】
下側ベース８は、図５に示すように、円盤状の第二底部８０と、円筒状の第一の周壁（周壁）８２と、円筒状の第二の周壁８３（図７、図８参照）と、を備えている。
【００１４】
第二底部８０は第二上面８４と第二下面８５（図７参照）とを含む。第二下面８５は、第二底部８０において第二上面８４に対して反対側に位置する面である。第二上面８４及び第二下面８５は円環状である。第二底部８０は、径方向の中心に円形の開口８６を有している。開口８６は第二上面８４と同心円状である。第二底部８０は、第二上面８４の周縁８４０に隣接した突台部９２を有している。突台部９２は第二上面８４の周囲に設けられており、円環状である。突台部９２は第二上面８４に対して上向きに突出している。
【００１５】
第一の周壁８２は、図６に示すように、第二底部８０から上向きに突出している。第二の周壁８３は、図８に示すように、第二底部８０から下向きに突出している。図７に示すように、第一の周壁８２及び第二の周壁８３は、上下方向から見て同心円状である。第一の周壁８２は第二の周壁８３よりも直径がやや大きい。第一の周壁８２は、第二底部８０の周縁８１（図８参照）から突出している。図５に示すように、第一の周壁８２は、突台部９２の周縁９２０に内接している。第二の周壁８３は、第二底部８０の径方向において第一の周壁８２よりもやや内側から突出している。より詳細には、上下方向から見て第二の周壁８３は、突台部９２と部分的に重なる位置にある。
【００１６】
図７、８に示すように、第二の周壁８３は、外側面８３０に３つの陥没部８３１を有している。第二の周壁８３は、各陥没部８３１において第二の周壁８３の径方向の内向きに窪んでいる。さらに、第二の周壁８３は、外側面８３０に６つの凹部８３２を有している。第二の周壁８３は、各凹部８３２において第二の周壁８３の径方向の内向きに窪んでいる。３つの陥没部８３１のうち１つの陥没部８３１は、３つの凹部８３２と一続きに形成されている。別の１つの陥没部８３１は、別の２つの凹部８３２と一続きに形成されている。残りの陥没部８３１は、残りの１つの凹部８３２と一続きに形成されている。
【００１７】
さらに、図５、６に示すように、第一の周壁８２には、３つのノックアウト部８７が設けられている。各ノックアウト部８７は、壁部８７０と、２つの側部８７１と、を有している。各側部８７１は、第一の周壁８２が突出する向き（上向き）における第一の周壁８２の先端８２０から、第一の周壁８２の突出方向８２１（図１参照）に延びている。つまり、側部８７１は、先端８２０から第二底部８０に向かって下向きに延びている。側部８７１は、第一の周壁８２の周方向に幅を有している。壁部８７０は、２つの側部８７１の間に位置している。壁部８７０は、２つの側部８７１に隣接している。また、壁部８７０は、２つの側部８７１と一体に形成されている。
【００１８】
図４に示すように、ノックアウト部８７は、上側の第一縁８７２と、下側の第二縁８７３と、第三縁８７４と、第四縁８７５と、により四方を囲まれている。第三縁８７４及び第四縁８７５は、それぞれが第一縁８７２と第二縁８７３とを結んでいる。第一縁８７２は、第一の周壁８２の先端８２０に含まれている。第二縁８７３は、第一縁８７２に平行な略直線形である。第三縁８７４及び第四縁８７５は、それぞれ対応する側部８７１における、壁部８７０が位置する側とは反対側の縁である。第二縁８７３と第三縁８７４と第四縁８７５とは、第一の周壁８２の径方向から見て全体として略Ｕ字形である。より詳細には、第二縁８７３及び第三縁８７４はそれぞれ、互いの交点８７６付近が円弧状に曲がっている。第二縁８７３及び第四縁８７５もそれぞれ、互いの交点８７７付近が円弧状に曲がっている。各側部８７１において壁部８７０側の縁８７８は、対応する交点８７６又は交点８７７を通っている。
【００１９】
図５に示すように、ノックアウト部８７は、第一の周壁８２におけるノックアウト部８７の周りの部分に対して、第一の周壁８２の径方向における内側と外側とが窪んでいる。したがって、ノックアウト部８７は、第一の周壁８２におけるノックアウト部８７の周りの部分よりも厚みが小さい。さらに、側部８７１は、第一の周壁８２の径方向において内側の面８７９側が、壁部８７０に対して第一の周壁８２の径方向の外向きに窪んでおり、壁部８７０よりも厚みが小さい。
【００２０】
さらに、下側ベース８は、図５、図６に示すように、第二底部８０の第二上面８４において突台部９２付近から上向きに突出した４つの突出部８８を有している。４つの突出部８８は、第二底部８０の周方向において等間隔に設けられている。各突出部８８は、第二底部８０から突出している直方体状の柱状部８８０と、柱状部８８０が突出している向き（上向き）の先端付近に設けられている爪部８８１と、を有している。柱状部８８０は、第二底部８０の径方向の外向きに反るように弾性を有している。爪部８８１は、柱状部８８０から、第二底部８０の径方向の内向きに突出している。
【００２１】
さらに、下側ベース８は、第二底部８０の第二上面８４から上向きに突出した２つの突出部８９を有している。各突出部８９は筒状である。突出部８９は、開口８６と突台部９２との間に設けられている。２つの突出部８９は、開口８６を挟んで互いに向かい合っている。各突出部８９は、上下方向から見て第二底部８０の径方向に長い長円形である。また、突出部８９は、上下方向から見て内側に開口８９０を有している。
【００２２】
さらに、下側ベース８は、第二底部８０の第二上面８４から上向きに突出した２つの突出部９０を有している。２つの突出部９０は、２つの突出部８９と一対一で対応している。各突出部９０は、第二底部８０において、対応する突出部８９と開口８６との間に設けられている。突出部９０は、第二底部８０から突出している直方体状の柱状部９００と、柱状部９００が突出している向き（上向き）の先端付近に設けられている爪部９０１と、を有している。すなわち、突出部９０は、突出部８８と同様の形状である。柱状部９００は、第二底部８０の径方向の内向きに反るように弾性を有している。爪部９０１は、柱状部９００から、第二底部８０の径方向の外向きに突出している。
【００２３】
上側ベース７は、図９に示すように、円盤状（図３参照）の第一底部７０と、第一底部７０の周縁７１から下向きに突出した周壁部７０１と、を有しており、全体として円盤状である。第一底部７０は、円環状の第一上面７４（図３参照）と、円環状の第一下面７５と、を含む。第一上面７４は、図１に示すように、第一底部７０において第一下面７５に対して反対側に位置する面である。
【００２４】
上側ベース７の第一底部７０は、第一底部７０の第一下面７５が下側ベース８の第二底部８０の第二上面８４に対向した状態で、第二底部８０に取り付けられている。言い換えると、第一底部７０は、第一の周壁８２の突出方向８２１において第二底部８０に対向している。したがって、第一の周壁８２の先端８２０は、突出方向８２１において、第一上面７４と第二下面８５とのうち第一上面７４により近い。上側ベース７の第一底部７０は、下側ベース８の第一の周壁８２よりも径がやや小さく、第一の周壁８２の内部の空間に位置している。つまり、第一底部７０の第一上面７４は、第一の周壁８２の内部の空間に位置している。上側ベース７の周壁部７０１は、第二底部８０の突台部９２（図６参照）の上面９３（図６参照）に載っている。第一底部７０と第二底部８０との間の空間７００には、図示しないアイソレータが備えられている。アイソレータは、火災感知器１の回線の短絡を検知して、短絡した回線を電気的に遮断する。また、周壁部７０１と第一の周壁８２との間には隙間９４がある。図３に示すように、突台部９２の上面９３は、第一の周壁８２の突出方向８２１（図１参照）に直交する方向において、第一上面７４に隣接している。なお、第一の周壁８２の突出方向８２１に直交する方向とは、第一底部７０の径方向である。
【００２５】
図１、５に示すように、突台部９２の上面９３を含む面を、集水面７４２とする。集水面７４２は、第一の周壁８２の内部の空間に位置している。また、隙間９４は、集水面７４２と第一の周壁８２と周壁部７０１とに囲まれた溝部に相当する。つまり、上述の通り、第一底部７０から突出した周壁部７０１は集水面７４２のうち上面９３に載っているので、隙間９４は、集水面７４２のうち、第一の周壁８２と周壁部７０１とに挟まれた部分を底面とする溝状に形成されている。このように、隙間９４は、集水面７４２と、第一の周壁８２と、周壁部７０１とにより、第一上面７４（後述する第一面４４に一致）に対して窪んだ溝状に形成されている。
【００２６】
また、上述の通り、第一の周壁８２は突台部９２の周縁９２０に内接しており、第一上面７４は第一の周壁８２の内部の空間に位置している。したがって、集水面７４２のうち、周縁９２０に沿った部分は、第一上面７４を囲んでいる。すなわち、集水面７４２の少なくとも一部は、第一上面７４（後述する第一面４４に一致）を囲んでいる。
【００２７】
集水面７４２には、３つの孔９５が設けられている。各孔９５が設けられている位置においては、突台部９２は第二上面８４に対して突出していない。図７に示すように、３つの孔９５は、第二の周壁８３の３つの陥没部８３１と一対一で対応している。各孔９５は、上下方向から見たときに、対応する陥没部８３１と同じ位置に設けられている。より詳細には、孔９５は、突台部９２（図５参照）の上面９３（図５参照）から陥没部８３１までの間の第二底部８０及び第二の周壁８３を貫通している。すなわち、孔９５は、集水面７４２から、第二底部８０の径方向において第二の周壁８３の外側へ貫通している。つまり、孔９５は集水面７４２から台座４の外部へ貫通している。なお、台座４の外部とは、第一の周壁８２の内部の空間に対して外側の空間である。３つの孔９５は、第二底部８０の径方向において略等間隔に設けられている。
【００２８】
また、集水面７４２には、孔９６が設けられている。孔９６が設けられている位置においては、突台部９２（図５参照）は第二上面８４（図５参照）に対して突出していない。孔９６は、第二底部８０の径方向において、第二の周壁８３よりも幅広である。孔９６は、上下方向から見て第二の周壁８３に部分的に重なる位置において、第二底部８０を突台部９２の上面９３（図５参照）から第二下面８５まで貫通している。さらに孔９６は、図１に示すように、第二下面８５側において、第二の周壁８３の径方向に沿って、第二の周壁８３を貫通している。すなわち、孔９６は集水面７４２から台座４の外部へ貫通している。
【００２９】
上述の通り、台座４は、上側ベース７と下側ベース８とを有している。したがって、台座４は、上側ベース７の第一底部７０と、下側ベース８の第二底部８０と、を含む底壁４０を有している。
【００３０】
底壁４０は、第一底部７０の第一上面７４を含む。底壁４０において第一上面７４を含む面を、底壁４０の第一面４４とする。本実施形態の第一面４４は第一上面７４に一致している。さらに、底壁４０は、第二面４５を含む。第二面４５は、突出方向８２１において第一面４４の反対側に位置する面である。第二面４５は、第二底部８０の第二下面８５を含む。本実施形態の第二面４５は第二下面８５に一致している。
【００３１】
第一上面７４は、平坦面７４４と、平坦面７４４に対して傾斜した傾斜面７４５と、を含む。より詳細には、傾斜面７４５は、突出方向８２１に直交する方向（第一底部７０の径方向）において集水面７４２（図３参照）に近づくほど、突出方向８２１において第二面４５に近づくように傾斜している。また、図３に示すように、第一底部７０は、径方向の中心に円形の開口７６を有している。開口７６は、第一底部７０の周縁７１と同心円形である。傾斜面７４５は開口７６の周囲に設けられており、周縁７１と同心円形の環状である。つまり、傾斜面７４５は、円錐台の側面の形状である。平坦面７４４は傾斜面７４５の周囲に設けられており、周縁７１と同心円形の環状である。平坦面７４４は、第一底部７０の径方向において傾斜面７４５から一続きに、第一底部７０の周縁７１まで続いている。第一上面７４には、傾斜面７４５を囲む、第一上面７４からの突出長さが長い突起は設けられていない。
【００３２】
さらに、上側ベース７は、図３、図４に示すように、第一底部７０の第一上面７４において周縁７１付近から突出した４つの突出部７７を有している。４つの突出部７７は、第一底部７０の周方向に等間隔に設けられている。各突出部７７は筒状であり、上下方向から見て内側に開口７７１を有している。また、突出部７７は、第一底部７０の径方向の内側に凹部７７２を有しており、凹部７７２において下向きに窪んでいる。各突出部７７は、下側ベース８における対応する突出部８８がはめ込まれている。凹部７７２には、突出部８８の爪部８８１（図６参照）が引っ掛けられている。
【００３３】
さらに、上側ベース７は、第一底部７０の第一上面７４から上向きに突出した２つの突出部７８及び２つの突出部７９を有している。２つの突出部７８及び２つの突出部７９は、開口７６と周縁７１との間に設けられている。２つの突出部７８及び２つの突出部７９は、第一底部７０の周方向において等間隔に設けられており、第一底部７０の周方向において突出部７８、突出部７９、突出部７８、突出部７９、と交互に並んでいる。各突出部７８は筒状であり、内部に開口７８０を有している。各突出部７９は柱状である。突出部７８及び突出部７９は、上下方向から見て第一底部７０の径方向に長い長円形である。また、突出部７８は、開口７６側に凹部７８１（図９参照）を有しており、凹部７８１において下向きに窪んでいる。各突出部７８の開口７８０には、下側ベース８における対応する突出部８９がはめ込まれている。また、第一底部７０の径方向において、各突出部７８の凹部７８１より内側には、下側ベース８における対応する突出部９０が位置している。凹部７８１には、突出部９０の爪部９０１（図５参照）が引っ掛けられている。
【００３４】
図９に示すように、上側ベース７の第一底部７０は６対の、計１２個（図９では４つのみを図示）のリブ１００を備えている。各リブ１００は、第一底部７０の第一下面７５から第二底部８０（図１参照）側へ突出している。つまり、リブ１００は、下向きに突出している。リブ１００は長尺の直方体状である。一対のリブ１００は、第一底部７０の径方向に長尺方向を向けて互いに平行に並んでいる。また、第一底部７０は６つ（図９では３つのみを図示）のリブ１０１を更に備えている。各リブ１０１は、第一下面７５から第二底部８０側へ下向きに突出している。リブ１０１は、第一底部７０の周方向に長尺の直方体状である。
【００３５】
各外部接続ユニット５は、図６に示すように、外部接続端子５０と、外部接続端子台５１と、解除釦５２（図８参照）と、を備えている。
【００３６】
外部接続端子台５１は角筒状であり、第二底部８０の第二上面８４から上向きに突出している。外部接続端子台５１は、第二底部８０と一体に形成されている。外部接続端子台５１は、内側に空間５１０を有している。図８に示すように、第二底部８０の第二下面８５には開口５２０が設けられており、開口５２０は空間５１０に通じている。開口５２０には解除釦５２がはめ込まれている。図６に示すように、外部接続端子台５１は、空間５１０に外部接続端子５０を収容している。つまり、第二底部８０は、外部接続端子台５１を介して外部接続端子５０を保持している。外部接続端子５０では、上側に位置する２つのばね５４（図１０参照）が第二底部８０の外部に露出されている。また、第一底部７０（図１参照）は、外部接続端子５０を２つのばね５４側（上側）から覆っている。
【００３７】
外部接続端子５０は、図１０に示すように、端子部５３と、２つのばね５４と、２つの連結部５５と、を備えている。端子部５３、２つのばね５４及び２つの連結部５５は、導電性の金属材料などにより一体に形成されている。
【００３８】
端子部５３は枠部５３０と、２つの接触片５３１（図９参照）と、突片５３２と、を有しており、これらが一体に形成されている。枠部５３０は長尺の矩形平板状に形成されており、内側に矩形の開口５３３を有している。外部接続端子５０が第二底部８０（図６参照）に固定された状態において、枠部５３０は上下方向に対して略直交する。つまり、枠部５３０は第二底部８０の第二上面８４（図６参照）に略平行である。２つの接触片５３１は、開口５３３を部分的に覆うように枠部５３０から斜め上向きに突出している。２つの接触片５３１は、枠部５３０の長尺方向に並んで設けられている。突片５３２は、開口５３３を部分的に覆うように枠部５３０から斜め下向きに突出している。突片５３２は、枠部５３０において、２つの接触片５３１とは開口５３３を挟んで反対側に設けられている。
【００３９】
各連結部５５は第一片５５０と第二片５５１とを有しており、断面Ｌ字形の板状に一体に形成されている。第一片５５０は枠部５３０と同一平面上にあり、枠部５３０に繋がっている。第二片５５１は第一片５５０の一端５５２から垂直に、上向きに突出している。
【００４０】
各ばね５４は、断面略Ｕ字形の板状に形成されている。ばね５４は、第一板部５４０と、第二板部５４１と、第一板部５４０と第二板部５４１とを繋いでいる断面半円状の曲板５４２と、を有しており、これらが一体に形成されている。ばね５４は、端子部５３に対して上側に位置している。第一板部５４０は、第一底部７０（図９参照）の第一下面７５（図９参照）に対向している。２つの第一板部５４０は、２つの連結部５５の第二片５５１の上端から突出しており、端子部５３の枠部５３０に対向している。第二板部５４１は、第一板部５４０よりも下側に設けられていて、第一板部５４０に向かい合っている。２つのばね５４は、２つの接触片５３１に一対一で対応している。各ばね５４の第二板部５４１は、対応する接触片５３１に接触している。ばね５４の第二板部５４１からは、２つの操作片５８が突出している。外部接続端子５０を下側から見ると、操作片５８は、開口５３３の内側に位置し、接触片５３１と重ならない位置にある。
【００４１】
図９に示すように、各外部接続端子５０は、第一の周壁８２（図１参照）の突出方向８２１（図１参照）において、一対のリブ１００と１つのリブ１０１とに接している。より詳細には、各外部接続端子５０は、一対のリブ１００の下面と１つのリブ１０１の下面とに枠部５３０が接した状態で、リブ１００の下方に備えられている。リブ１００の下面及びリブ１０１の下面とはすなわち、リブ１００が突出している向き（下向き）の先端１０２及びリブ１０１が突出している向き（下向き）の先端１０３である。
【００４２】
図８に示すように、第二底部８０の第二下面８５には、６つ（図７参照）の窪み部５６が設けられている。６つの窪み部５６は、６つの外部接続端子台５１（図６参照）に一対一で対応している。各窪み部５６は、対応する外部接続端子台５１の内側の空間５１０（図６参照）に対して第二底部８０の径方向の内側に位置しており、空間５１０に隣接している。窪み部５６において第二下面８５は上向きに窪んでいる。各窪み部５６には、１又は２つの挿入孔５７が設けられている。各窪み部５６において挿入孔５７は、対応する外部接続端子台５１内の空間５１０に繋がっている。
【００４３】
火災感知器用ベース２の上側から火災感知器用ベース２へ挿入された外部配線６００（図２参照）は、挿入孔５７に挿入される。外部配線６００は、図１０に示す外部接続端子５０のばね５４を弾性変形させながら、ばね５４の第二板部５４１と、ばね５４に対応する接触片５３１と、の間に差し込まれる。このように、外部接続端子５０は、第二板部５４１と接触片５３１との間に外部配線６００を挟むことによって、外部配線６００を保持し、外部配線６００と電気的に接続する。つまり、外部接続端子５０は、いわゆる速結端子である。解除釦５２（図８参照）を下から押すことで操作片５８を上向きに押してばね５４を弾性変形させ、第二板部５４１を端子部５３から離すことができる。これにより、外部配線６００が外部接続端子５０に保持されているとき、外部配線６００を外部接続端子５０から外すことができる。なお、外部配線６００は、図４に示すノックアウト部８７の壁部８７０を取り除くことによって形成されるノックアウト孔から火災感知器用ベース２へ挿入されてもよい。
【００４４】
３つのコンタクト部６はそれぞれ、図７に示すように、内部端子６０と、下側ベース８の第二底部８０に固定されている内部端子台６１と、を有している。３つの内部端子６０（内部端子台６１）は、６つの外部接続端子５０のうち３つの外部接続端子５０に一対一で対応している。
【００４５】
各内部端子台６１は、第二底部８０と一体に形成されている。各内部端子台６１は、第二底部８０の第二下面８５に設けられている。各内部端子台６１は、対応する外部接続ユニット５に対して、第二底部８０の周方向に隣接して設けられている。図８に示すように、内部端子台６１は、矩形状の２枚の突出板６１０と、矩形状の突出板６１１と、を含む。２枚の突出板６１０は、第二下面８５から下向きに突出しており、互いに平行に向かい合っている。突出板６１１は、第二下面８５から下向きに突出している。突出板６１１は、２枚の突出板６１０に対して直交しており、各突出板６１０の突出方向（上下方向）の一辺６１２に繋がっている。突出板６１１は、上下方向に沿った開口６１３を有している。内部端子台６１は、２枚の突出板６１０の間に内部端子６０を収容している。また、第二底部８０は、２枚の突出板６１０の間に貫通孔６１４（図７参照）を有している。貫通孔６１４は、第二底部８０の第二上面８４（図６参照）から第二下面８５まで繋がっている。
【００４６】
内部端子６０は、図１０に示すように、２枚の金属片６２を含む。金属片６２は板状である。２枚の金属片６２は互いに向かい合い、略接した状態で固定されている。２枚の金属片６２は、互いから遠ざかるようにして変位すると、ばね弾性により互いへ近づく向きに変位する。これにより、各内部端子６０は、２枚の金属片６２の間に、感知器本体３（図１参照）の電気回路３２０（図１参照）の栓刃３２２（図１１参照）を挟んで、電気回路３２０に電気的に接続している。
【００４７】
外部接続端子５０及び内部端子６０は連結片６５により繋がっている。これにより、内部端子６０は、対応する外部接続端子５０に電気的に接続されている。外部接続端子５０は内部端子６０よりも上方に位置する。連結片６５は、底板６５１と２枚の側板６５２とを備えている。底板６５１は、外部接続端子５０の枠部５３０から延びている。各側板６５２は、底板６５１から下向きに、内部端子６０の対応する金属片６２まで延びている。図５に示すように、外部接続端子５０が外部接続端子台５１に保持されていることによって、外部接続端子５０及び内部端子６０は第二底部８０に固定されている。
【００４８】
上述の通り、３つの内部端子６０は、６つの外部接続端子５０のうち３つの外部接続端子５０に一対一で対応している。すなわち、内部端子６０と、当該内部端子６０に対応している外部接続端子５０とは、端子群８００を形成している。これら３つの端子群８００は、互いに同一の形状である。３つの内部端子６０はそれぞれ、対応する外部接続端子５０と一体に形成されている。したがって、各内部端子６０から、対応する外部接続端子５０までの距離Ｌ１、Ｌ２及びＬ３（図１２Ａ〜１２Ｃ参照）は零である。
【００４９】
３つの端子群８００の３つの外部接続端子５０及び３つの内部端子６０の関係について説明する。図１２Ａ〜１２Ｃは、図５と同じ視点での３つの端子群８００の配置を模式的に示している。図１２Ａ〜１２Ｃにおいては、３つの端子群８００を端子群８００Ａ、８００Ｂ、及び８００Ｃとして区別する。また、端子群８００Ａ、８００Ｂ、８００Ｃはそれぞれ、外部接続端子５０Ａ、５０Ｂ、５０Ｃと、内部端子６０Ａ、６０Ｂ、６０Ｃとを１つずつ備えている。
【００５０】
図１２Ａに示すように、端子群８００Ａにおける内部端子６０Ａから外部接続端子５０Ａまでの距離Ｌ１は、端子群８００Ａの内部端子６０Ａから端子群８００Ｂ、８００Ｃの内部端子６０Ｂ、６０Ｃまでの距離Ｌ６１及びＬ６２のいずれよりも短い。また、距離Ｌ１は、端子群８００Ａの外部接続端子５０Ａから端子群８００Ｂ、８００Ｃの外部接続端子５０Ｂ、５０Ｃまでの距離Ｌ５１及びＬ５２のいずれよりも短い。
【００５１】
なお、端子群８００Ａにおける内部端子６０Ａから外部接続端子５０Ａまでの距離Ｌ１は、内部端子６０Ａと外部接続端子５０Ａとを結ぶ最短の線分の長さである。同様に、距離Ｌ６１、Ｌ６２はそれぞれ、内部端子６０Ａと内部端子６０Ｂ、６０Ｃとを結ぶ最短の線分の長さである。距離Ｌ５１、Ｌ５２はそれぞれ、外部接続端子５０Ａと外部接続端子５０Ｂ、５０Ｃとを結ぶ最短の線分の長さである。
【００５２】
図１２Ａでは、端子群８００Ａに係る距離を図示している。端子群８００Ｂ、８００Ｃについても、各端子間の距離について、端子群８００Ａの場合と同様の関係が成り立つ。
【００５３】
すなわち、端子群８００Ｂについて、図１２Ｂに示すように、内部端子６０Ｂから外部接続端子５０Ｂまでの距離Ｌ２は、内部端子６０Ｂから内部端子６０Ａ、６０Ｃまでの距離Ｌ６１、Ｌ６３のいずれよりも短い。また、距離Ｌ２は、外部接続端子５０Ｂから外部接続端子５０Ａ、５０Ｃまでの距離Ｌ５１、Ｌ５３のいずれよりも短い。
【００５４】
さらに、端子群８００Ｃについて、図１２Ｃに示すように、内部端子６０Ｃから外部接続端子５０Ｃまでの距離Ｌ３は、内部端子６０Ｃから内部端子６０Ａ、６０Ｂまでの距離Ｌ６２、Ｌ６３のいずれよりも短い。また、距離Ｌ３は、外部接続端子５０Ｃから外部接続端子５０Ａ、５０Ｂまでの距離Ｌ５２、Ｌ５３のいずれよりも短い。
【００５５】
図５に示す６つの外部接続端子５０のうち、内部端子６０と一体に形成されていない３つの外部接続端子５０には、使用しない配線を繋いでおいたり、使用する配線の入力側と出力側とを繋いで、入力側と出力側とを中継したりする。
【００５６】
感知器本体３のケース３００は、図２に示すように、筒状部３０１と、籠状部３０６と、を含む。筒状部３０１は円筒形の周壁３０２と、周壁３０２の下端に底壁３０３と、を有している。筒状部３０１は、全体として有底円筒状に形成されている。籠状部３０６は格子状の円筒形の周壁３０７と、周壁３０７の下端に底壁３０８と、を有している。籠状部３０６は、全体として有底円筒状に形成されている。筒状部３０１の周壁３０２は、籠状部３０６の周壁３０７よりも直径が長い。筒状部３０１の底壁３０３は、籠状部３０６の周壁３０７に繋がっている。
【００５７】
筒状部３０１の周壁３０２は、図１１に示すように、内側に６つの凸部３０４を有している。６つの凸部３０４は、火災感知器用ベース２（図８参照）の台座４（図８参照）の第二の周壁８３（図８参照）における６つの凹部８３２（図８参照）と一対一で対応している。６つの凸部３０４によって、感知器本体３は火災感知器用ベース２に取り付けられている。より詳細には、感知器本体３が火災感知器用ベース２に取り付けられていない状態において、感知器本体３の各凸部３０４を、火災感知器用ベース２の対応する凹部８３２に下から上向きに通す。その後、感知器本体３を周方向に回転させて各凸部３０４を、陥没部８３１（図８参照）における、凹部８３２に隣接していない位置へ移動させる。これにより、感知器本体３は火災感知器用ベース２に取り付けられている。
【００５８】
また、図１に示すように、筒状部３０１の底壁３０３は、内側面４００に排水溝４０１を有している。排水溝４０１は円環状の溝であり、周壁３０２付近に設けられている。排水溝４０１は、内側面４００において下向きに窪んでいる。排水溝４０１には、底壁３０３を貫通している２つの孔４０２（図１１参照）が設けられている。２つの孔４０２は、排水溝４０１において互いに対称な位置に設けられている。
【００５９】
さらに、底壁３０３の内側面４００において、排水溝４０１と周壁３０２との間には、傾斜面４０３が設けられている。傾斜面４０３は排水溝４０１の周囲に設けられており、周壁３０２の径方向の内側ほど下に位置するように傾斜している。
【００６０】
さらに、周壁３０２の径方向において、排水溝４０１より内側には、遮水壁４０４が設けられている。遮水壁４０４は排水溝４０１に隣接しており、底壁３０３の内側面４００から上向きに突出している。遮水壁４０４は、排水溝４０１に流入した水が周壁３０２の径方向において遮水壁４０４よりも内側へ侵入することを抑止する。
【００６１】
カバー３１０は、図１１に示すように、円盤状に形成されている。カバー３１０は、感知器本体３を上から見たとき筒状部３０１の底壁３０３の大部分を覆っている。つまり、カバー３１０は、図１に示すように、上面３１１において火災感知器用ベース２に対向しており、火災感知器用ベース２の下方に位置する。カバー３１０は遮水壁４０４よりも上側に位置して遮水壁４０４を覆っている。カバー３１０の外縁３１２は、筒状部３０１の周壁３０２の径方向において遮水壁４０４よりも外側にある。上面３１１は外縁３１２付近が、外側ほど下に位置するように円弧状に傾斜している。上面３１１は傾斜面３１３を含む。傾斜面３１３は、上面３１１の中心３１４を頂点として、カバー３１０の径方向において外側ほど下に位置するように傾斜している。また、図１１に示すように、上面３１１からは２つの壁部３１５が突出している。２つの壁部３１５は、上面３１１において傾斜面３１３に沿って設けられている。２つの壁部３１５は、上面３１１の中心３１４を挟んで向かい合って設けられている。上面３１１には、カバー３１０の径方向において各壁部３１５よりも外側に、３つの突台部３１６が設けられている。各突台部３１６は上面３１１から突出しており、上側の面３１７は平状である。カバー３１０は、面３１７に複数（図示例では３つ）の貫通孔３１８を有している。
【００６２】
電気回路３２０は、図１に示すように、カバー３１０の下方に備えられている。電気回路３２０は基板３２１を備えている。また、基板３２１には電気回路３２０に係る複数の栓刃３２２（図１１参照。図１１では栓刃３２２は３つ。）と、熱感知器３２３と、煙感知器３２４と、図示しない２つの確認灯と、図示しない投光器と、が実装されている。２つの確認灯は、熱感知器用の確認灯と、煙感知器用の確認灯とである。各確認灯としては、例えばＬＥＤ素子などの発光素子が用いられている。投光器としては、例えばＬＥＤ素子などの発光素子が用いられている。
【００６３】
基板３２１は、筒状部３０１の周壁３０２の径方向において、遮水壁４０４よりも内側に位置している。図１１に示す各栓刃３２２は、導電性の金属板などにより形成されている。３つの栓刃３２２は、カバー３１０の３つの貫通孔３１８からカバー３１０の上方に突出している。３つの栓刃３２２は、３つの内部端子６０（図７参照）に一対一で対応している。各栓刃３２２は、対応する内部端子６０に電気的に接続している。つまり、各栓刃３２２は、対応する内部端子６０の２枚の金属片６２（図１０参照）に挟まれている。これにより、電気回路３２０（図１参照）は、外部配線６００（図２参照）に電気的に接続されている。
【００６４】
図１に示す熱感知器３２３は、サーミスタ３２５により周囲の温度を検出することにより火災を検知する。続いて、電気回路３２０は熱感知器用の確認灯を点灯させ、外部配線６００（図２参照）を通して外部の図示しない受信機に火災の発生を伝える。確認灯からの光は感知器本体３の外部へ取り出される。なお、熱感知器３２３は、サーミスタ３２５に代えて例えばバイメタルにより温度を検出してもよい。
【００６５】
煙感知器３２４及び投光器は、光学基台３３０により周囲を囲まれている。光学基台３３０は、基板３２１の下方に備えられている。煙感知器３２４は、レンズ３３１と、レンズ３３１に向かって固定されている図示しない受光素子と、を備えている。投光器から投光された光が、光学基台３３０に入り込んだ煙で乱反射することにより、光がレンズ３３１に入射して、投光器からの光を受光素子が感知する。これにより、煙感知器３２４は火災を検知する。続いて、電気回路３２０は煙感知器用の確認灯を点灯させ、外部配線６００（図２参照）を通して外部の図示しない受信機に火災の発生を伝える。確認灯からの光は感知器本体３の外部へ取り出される。
【００６６】
虫カバー３４０は、光学基台３３０を包むようにして備えられている。虫カバー３４０は、図２に示すように、円盤状の底壁３４１と、底壁３４１の外縁３４２から底壁３４１に対して垂直に、上向きに突出している格子状の格子部３４３と、を備えている。
【００６７】
次に、本実施形態の火災感知器用ベース２及び火災感知器１において、図１に示す上側ベース７の第一底部７０の第一上面７４に水があるときに、火災感知器１の外部へ排水する様子について説明する。
【００６８】
第一上面７４の傾斜面７４５に水があるとき、水は傾斜面７４５に沿って流れる。より詳細には、水は第一底部７０の径方向の外向きに流れるので、水は傾斜面７４５から平坦面７４４を経由して第一底部７０の周縁７１に到達する。さらに水は、第一底部７０と第一の周壁８２との間の隙間９４から第二底部８０側（下）へ流れる。水は第二底部８０の集水面７４２（図５参照）に位置している孔９５又は孔９６を通過して、火災感知器用ベース２の下方へ排水される。その後、水は感知器本体３の筒状部３０１の底壁３０３における傾斜面４０３に落ちる。水は傾斜面４０３の傾斜に従って、筒状部３０１の径方向の内向きに流れる。水は排水溝４０１に流れ込み、孔４０２（図１１参照）から火災感知器１の外部へ排水される。
【００６９】
また、孔９５又は孔９６を経ずに、例えば火災感知器用ベース２の中央の開口７６及び開口８６から感知器本体３に水が侵入した場合は、カバー３１０の上面３１１に水が到達する。水は、上面３１１の傾斜面３１３における傾斜に従って、カバー３１０の径方向の外向きに流れて、カバー３１０の外縁３１２から、筒状部３０１の底壁３０３における傾斜面４０３に落ちる。水は傾斜面４０３の傾斜に従って流れ、排水溝４０１に流れ込み、孔４０２（図１１参照）から火災感知器１の外部へ排水される。
【００７０】
上述の通り、第１の態様に係る火災感知器用ベース２は、台座４と、複数の外部接続端子５０と、複数の内部端子６０と、を備える。台座４は底壁４０を有する。台座４には感知器本体３が取り付けられる。感知器本体３は、火災を検知するための電気回路３２０を有する。複数の外部接続端子５０は、底壁４０に固定されている。複数の内部端子６０は、底壁４０に固定されている。複数の外部接続端子５０には外部配線６００が電気的に接続される。複数の内部端子６０には電気回路３２０が電気的に接続される。複数の内部端子６０は、複数の外部接続端子５０と一対一で対応している。複数の内部端子６０の各々は、複数の外部接続端子５０のうち当該内部端子６０に対応する対象外部接続端子５０に電気的に接続されている。複数の内部端子６０の各々において、当該内部端子６０から対象外部接続端子５０までの距離（Ｌ１、Ｌ２、又はＬ３）は、当該内部端子６０から複数の内部端子６０のうち残りの内部端子６０までの距離（Ｌ６１，Ｌ６２、Ｌ６１，Ｌ６３、又はＬ６２，Ｌ６３）よりも短い。複数の内部端子６０の各々において、当該内部端子６０から対象外部接続端子５０までの距離（Ｌ１、Ｌ２、又はＬ３）は、対象外部接続端子５０から複数の外部接続端子５０のうち残りの外部接続端子５０までの距離（Ｌ５１，Ｌ５２、Ｌ５１，Ｌ５３、又はＬ５２，Ｌ５３）よりも短い。
【００７１】
上記の構成の火災感知器用ベース２では、外部接続端子５０と内部端子６０とが互いに接近して設けられている。したがって、従来の、外部接続端子と内部端子とが互いに離れて設けられている火災感知器用ベースと比べると、外部接続端子５０と内部端子６０とを互いに接続するためのスペースが小さくて済む。これにより、火災感知器用ベース２における部品や配線が配置される更に広いスペースを確保することができる。
【００７２】
また、第２の態様に係る火災感知器用ベース２では、第１の態様において、台座４は、第一の周壁８２（周壁）を更に有する。第一の周壁８２は筒状である。第一の周壁８２は、底壁４０の周縁８１から底壁４０に交差する方向に突出している。第一の周壁８２はノックアウト部８７を含む。ノックアウト部８７は、２つの側部８７１と、壁部８７０と、を有する。２つの側部８７１は、第一の周壁８２の先端８２０から第一の周壁８２の突出方向８２１に延びている。先端８２０は、第一の周壁８２が突出する向きにおける第一の周壁８２の先端である。壁部８７０は、２つの側部８７１の間において２つの側部８７１に隣接している。２つの側部８７１は壁部８７０よりも厚みが小さい。
【００７３】
上記の構成によれば、ノックアウト部８７の側部８７１は壁部８７０よりも厚みが小さいので、ノックアウト部８７は、側部８７１に沿って容易に切断することができる。これにより、壁部８７０を取り除いて、第一の周壁８２（周壁）にノックアウト孔を容易に設けることができる。そして、外部配線６００を、第一の周壁８２に設けられているノックアウト孔から第一の周壁８２の内側へ通すことができる。さらに、ノックアウト部８７は、壁部８７０の下縁（第二縁８７３）の付近が側部８７１と同程度に厚みが小さいノックアウト部と比べると、成形が容易である。
【００７４】
また、第３の態様に係る火災感知器用ベース２では、第１又は２の態様において、複数の内部端子６０の各々は、対象外部接続端子５０の少なくとも一部と一体に形成されている。
【００７５】
上記の構成の火災感知器用ベース２では、内部端子６０と、当該内部端子６０に対応する外部接続端子５０とが一体に形成されていることにより、内部端子６０及び外部接続端子５０の部品点数を減らし、また、これらを接続する工程を省略することができる。
【００７６】
また、第４の態様に係る火災感知器１は、第１〜３の態様のいずれか１つに係る火災感知器用ベース２と、感知器本体３と、を備える。
【００７７】
上記の構成の火災感知器１において、火災感知器用ベース２は、外部接続端子５０と内部端子６０とが互いに接近して設けられている。したがって、従来の、外部接続端子と内部端子とが互いに離れて設けられている火災感知器用ベースと比べると、外部接続端子５０と内部端子６０とを互いに接続するためのスペースが小さくて済む。これにより、部品や配線が配置される更に広いスペースを確保できる。そのため、火災感知器用ベース２の大きさが従来の火災感知器用ベースと同じであっても、火災感知器用ベース２における部品や配線の数を増やして、火災感知器１に、より多数の検知装置や表示灯などを実装することができる。
【００７８】
次に、本実施形態の変形例に係る火災感知器用ベースについて、図１３Ａ、１３Ｂを用いて説明する。なお、本実施形態の火災感知器用ベース２と同様の構成要素については、同一の符号を付して説明を省略する。
【００７９】
本変形例の火災感知器用ベース２は、図１３Ａ、１３Ｂに示すように、複数組（図１３Ａでは３組）の内部端子６０及び外部接続端子５０を備えている。各内部端子６０は、対応する外部接続端子５０に対して、第一の周壁８２の突出方向８２１（上下方向）に並んで配置されている。より詳細には、図１３Ａに示すように、第二底部８０の第二下面８５において開口８６に隣接する部分に複数の挿入孔５７が設けられている。第二下面８５の径方向において挿入孔５７の外側には、解除釦５２が配置されている。さらに、第二下面８５の径方向において解除釦５２の外側には、内部端子６０及び内部端子台６１が配置されている。図１３Ｂに示すように、外部接続端子５０は、解除釦５２、内部端子６０及び内部端子台６１の上方に位置している。
【００８０】
本変形例での内部端子６０及び外部接続端子５０の配置であっても、複数の内部端子６０の各々において、当該内部端子６０から対象外部接続端子５０までの距離は、当該内部端子６０から複数の内部端子６０のうち残りの内部端子６０までの距離よりも短い。また、複数の内部端子６０の各々において、当該内部端子６０から対象外部接続端子５０までの上記距離は、対象外部接続端子５０から複数の外部接続端子５０のうち残りの外部接続端子５０までの距離よりも短い。
【００８１】
また、本実施形態の各内部端子６０は、第二底部８０の第二下面８５において、対応する外部接続端子５０に対して、第二底部８０の周方向に隣接して設けられており、上記の変形例の各内部端子６０は、対応する外部接続端子５０の下方に設けられている。しかし、内部端子６０と外部接続端子５０との配置はこれらに限定されない。例えば、各内部端子６０は対応する外部接続端子５０に対して、第二底部８０の径方向に隣接していてもよい。この場合には、図５における開口８６に隣接して各外部接続端子５０が配置され、各外部接続端子５０に対して第二上面８４の径方向の外側に、対応する内部端子６０が配置されていることが好ましい。このような配置によると、開口８６から引き出された外部配線６００を外部接続端子５０に接続しやすい。
【００８２】
また、外部接続端子５０及び内部端子６０の配置は、図５及び図１３Ａに示す配置と異なっていてもよい。すなわち、外部接続端子５０及び内部端子６０の配置は、距離（Ｌ１、Ｌ２、又はＬ３）が、距離（Ｌ６１，Ｌ６２、Ｌ６１，Ｌ６３、又はＬ６２，Ｌ６３）及び距離（Ｌ５１，Ｌ５２、Ｌ５１，Ｌ５３、又はＬ５２，Ｌ５３）よりも短くなる配置であればよい。
【００８３】
なお、第一の周壁８２は、ノックアウト部８７を含んでいなくてもよい。
【００８４】
また、各内部端子６０は、対応する外部接続端子５０と一体に形成されていなくてもよい。つまり、各内部端子６０は、対応する外部接続端子５０とは別々に形成された後に対応する外部接続端子５０に電気的に接続されていてもよい。
【００８５】
これらの場合であっても、従来の、外部接続端子と内部端子とが互いに離れて設けられている火災感知器用ベースと比べると、本実施形態の火災感知器用ベース２は、外部接続端子５０と内部端子６０とが互いに接近して設けられている。そのため、外部接続端子５０と内部端子６０との接続スペースが小さい。これにより、火災感知器用ベース２における部品や配線が配置される更に広いスペースを確保することができる。
【００８６】
また、各内部端子６０は、対応する外部接続端子５０の端子部５３に代えて、ばね５４に接続されていてもよい。
【００８７】
また、外部接続端子５０において端子部５３は、ばね５４とは別々に形成されていてもよい。この場合、外部配線６００の線径に応じて、ばね５４を、異なるばね定数を有しているばねへと変更することにより、いろいろな線径の外部配線６００を外部接続端子５０に接続することができる。
【００８８】
また、端子群８００の数、すなわち、一対一で対応している外部接続端子５０及び内部端子６０の組の数は、３組に限定されず、２組以上であればよい。
【００８９】
なお、以上説明した実施形態は本発明の一例である。このため、本発明はこれらの実施形態に限定されず、本発明の趣旨を逸脱しない範囲において種々の変形が可能である。
【符号の説明】
【００９０】
１  火災感知器
２  火災感知器用ベース
３  感知器本体
４  台座
４０  底壁
５０  外部接続端子
６０  内部端子
８１  周縁
８２  第一の周壁（周壁）
８７  ノックアウト部
３２０  電気回路
６００  外部配線
８２０  先端
８２１  突出方向
８７０  壁部
８７１  側部
Ｌ１，Ｌ２，Ｌ３，Ｌ５１，Ｌ５２，Ｌ５３，Ｌ６１，Ｌ６２，Ｌ６３  距離
【図１】
2018051796.tif 000003
【図２】
2018051796.tif 000004
【図３】
2018051796.tif 000005
【図４】
2018051796.tif 000006
【図５】
2018051796.tif 000007
【図６】
2018051796.tif 000008
【図７】
2018051796.tif 000009
【図８】
2018051796.tif 000010
【図９】
2018051796.tif 000011
【図１０】
2018051796.tif 000012
【図１１】
2018051796.tif 000013
【図１２】
2018051796.tif 000014
【図１３】
2018051796.tif 000015
【国際調査報告】
2018051796.tif 000016
2018051796.tif 000017
2018051796.tif 000018